(57)【要約】【課題】小型の装置により、明るく色再現性の高い、高品質な立体画像を観賞することができる立体表示システムの提供。【解決手段】ピーク波長がＲ１、Ｇ１、及びＢ１である３色の光源を１組とした第１の光源と、ピーク波長がＲ２、Ｇ２、及びＢ２である３色の光源を１組とした第２の光源と、カラーフィルタと、液晶層とを有する光変調素子とを有する画像表示装置と、左目レンズ及び右目レンズの近傍に特定の発光波長の光だけを透過するフィルタを有し、前記左目用画像を左目のみに知覚させ、前記右目用画像を右目のみに知覚させるように構成した波長選択眼鏡とを組み合わせてなり、前記波長選択眼鏡を通して前記左目用及び前記右目用画像を観ることにより１つの立体画像を見ることができる立体表示システムである。【選択図】図１
2012042613.tif 000002
【特許請求の範囲】
【請求項１】
ピーク波長がＲ１、Ｇ１、及びＢ１である３色の光源を１組とした第１の光源と、
ピーク波長がＲ２、Ｇ２、及びＢ２である３色の光源を１組とした第２の光源と、
ピーク波長がＲｆ、Ｇｆ、及びＢｆであり、かつピーク透過率の５０％が透過する半値幅がＲｆｗ、Ｇｆｗ、及びＢｆｗである３色の画素を含むカラーフィルタと、液晶層とを有し、前記第１及び第２の光源を交互に発光させた光を変調して左目用画像及び右目用画像を形成する光変調素子と、を有する画像表示装置と、
左目レンズ及び右目レンズの近傍に特定の発光波長の光だけを透過するフィルタを有し、前記左目用画像を左目のみに知覚させ、前記右目用画像を右目のみに知覚させるように構成した波長選択眼鏡と、を組み合わせてなり、
前記波長選択眼鏡を通して前記左目用及び前記右目用画像を観ることにより１つの立体画像を見ることができる立体表示システムであって、
前記第１の光源及び前記第２の光源が、１０ｎｍ≦｜Ｒ１−Ｒ２｜、１０ｎｍ≦｜Ｇ１−Ｇ２｜、及び１０ｎｍ≦｜Ｂ１−Ｂ２｜の関係を満たし、
前記カラーフィルタと前記第１及び第２の光源とが、Ｒｆ−Ｒｆｗ＜Ｒ１＜Ｒｆ＋Ｒｆｗ、Ｇｆ−Ｇｆｗ＜Ｇ１＜Ｇｆ＋Ｇｆｗ、Ｂｆ−Ｂｆｗ＜Ｂ１＜Ｂｆ＋Ｂｆｗ、Ｒｆ−Ｒｆｗ＜Ｒ２＜Ｒｆ＋Ｒｆｗ、Ｇｆ−Ｇｆｗ＜Ｇ２＜Ｇｆ＋Ｇｆｗ、及びＢｆ−Ｂｆｗ＜Ｂ２＜Ｂｆ＋Ｂｆｗの関係を満たし、
前記左目レンズ近傍のフィルタが、（ピーク波長がＲ１の光源からの光の透過率ＴＲ１）＞（ピーク波長がＲ２の光源からの光の透過率ＴＲ２）、（ピーク波長がＧ１の光源からの光の透過率ＴＧ１）＞（ピーク波長がＧ２の光源からの光の透過率ＴＧ２）、及び（ピーク波長がＢ１の光源からの光の透過率ＴＢ１）＞（ピーク波長がＢ２の光源からの光の透過率ＴＢ２）の関係を満たし、
前記右目レンズ近傍のフィルタが、ＴＲ１＜ＴＲ２、ＴＧ１＜ＴＧ２、及びＴＢ１＜ＴＢ２の関係を満たすことを特徴とする立体表示システム。
【請求項２】
ピーク波長がＲ１、Ｇ１、Ｂ１、Ｒ２、Ｇ２、及びＢ２の６つの光源における光源半値幅は、いずれも１ｎｍ以上５０ｎｍ以下である請求項１に記載の立体表示システム。
【請求項３】
ピーク波長Ｒ２とＧ１の光源が、Ｒ２＞Ｇ１であり、Ｒ２−Ｇ１＞１０ｎｍを満たし、
ピーク波長Ｇ２とＢ１の光源が、Ｇ２＞Ｂ１であり、Ｇ２−Ｂ１＞１０ｎｍを満たす請求項１から２のいずれかに記載の立体表示システム。
【請求項４】
左目レンズ近傍のフィルタが、ＴＲ１≧５０％、ＴＲ２≦１０％、ＴＧ１≧５０％、ＴＧ２≦１０％、ＴＢ１≧５０％、ＴＢ２≦１０％であり、
右目レンズ近傍のフィルタが、ＴＲ１≦１０％、ＴＲ２≧５０％、ＴＧ１≦１０％、ＴＧ２≧５０％、ＴＢ１≦１０％、ＴＢ２≧５０％である請求項１から３のいずれかに記載の立体表示システム。
【発明の詳細な説明】
【技術分野】
【０００１】
本発明は、小型の装置により、明るく色再現性の高い、高品質な立体画像を観賞することができる立体表示システムに関する。
【背景技術】
【０００２】
従来より、画像表示装置と眼鏡とを組み合わせて立体画像を観賞することができる立体表示システムとしては、例えばデュアルスタック方式、ＲｅａｌＤ方式、ＸｐａｎＤ方式、ドルビー３Ｄ方式などが挙げられる。
【０００３】
前記デュアルスタック方式は、例えば右目用及び左目用の２台のプロジェクターを用い、それぞれ異なる円偏光でシルバースクリーンに投影し、偏光眼鏡で立体画像を見る方式である。しかし、前記デュアルスタック方式は、シルバースクリーンが必要であり、該シルバースクリーン上で高い画像の重ね合わせ精度が要求される。また、投射型であるため設置が簡便でなく、大型の装置になるという問題がある。
【０００４】
前記ＲｅａｌＤ方式は、例えば右目用及び左目用の映像を液晶素子で偏光を切り替えながら、時間的に交互にシルバースクリーンに投影し、偏光眼鏡で立体画像を見る方式である。しかし、前記ＲｅａｌＤ方式は、シルバースクリーンが必要である。また、投射型であるため設置が簡便でなく、大型の装置が必要となるという問題がある。
【０００５】
前記ＸｐａｎＤ方式は、例えば入射光を遮る液晶シャッターを右目用、左目用にそれぞれ設けた眼鏡を用い、画面に右目用画像が表示されたときには右目用の液晶シャッターのみを開け、画面に左目用画像が表示されたときには左目用の液晶シャッターのみを開けて、右目用画像と左目用画像に視差を付けて、立体画像を見る方式である（特許文献１参照）。しかし、前記ＸｐａｎＤ方式により３Ｄ画像を表示する場合、同時に表示できる画像が１つであるという制約から右目と左目に同時に映像を見せることができず、左右の画像の切り替えサイクルが十分に早くないと、画像がちらついたり、暗くなってしまうと共に、眼鏡の重量が重くなってしまうという課題がある。
【０００６】
前記ドルビー３Ｄ方式は、例えば左右の映像ソースを交互に分割表示し、右目用及び左目用画像をカラーホイール（分光フィルター）でＲＧＢの波長帯域を切り替えながら、時間的に交互にホワイトスクリーンに投影し、左目及び右目レンズの近傍に特定の発光波長だけを透過するフィルタを有し、前記左目用画像を左目のみに知覚させ、前記右目用画像を右目のみに知覚させるように構成した波長選択眼鏡で見ることにより、立体画像を観賞できるものである（特許文献２参照）。このドルビー３Ｄ方式は、ホワイトスクリーンが使用可能で、色再現性に優れ、高画質の立体画像を観賞できる。しかし、前記ドルビー３Ｄ方式は、投射型であるため設置が簡便でなく、プロジェクター、カラーホイール及びその駆動手段などが必要となるため大型の装置となり、暗所でしか立体画像が映らないという問題がある。
【０００７】
したがって、明るく色再現性の高い、高品質な立体画像を観賞することができる立体表示システムの速やかな提供が望まれているのが現状である。
【先行技術文献】
【特許文献】
【０００８】
【特許文献１】実公平６−４８４９０号公報
【特許文献２】特許第４３４８４０９号公報
【発明の概要】
【発明が解決しようとする課題】
【０００９】
本発明は、従来における前記諸問題を解決し、以下の目的を達成することを課題とする。即ち、本発明は、波長をずらした２組のＲＧＢ光源及び光変調素子を有する画像表示装置と、波長選択眼鏡とを組み合わせた小型の装置により、明るく色再現性の高い、高品質な立体画像を観賞することができる立体表示システムを提供することを目的とする。
【課題を解決するための手段】
【００１０】
前記課題を解決するため本発明者が鋭意検討を重ねた結果、波長をずらした２組のＲＧＢ光源を用い、該２組のＲＧＢ光源を交互に発光させ、そのタイミングに応じて、カラーフィルタ及び液晶層を有する光変調素子で変調させて右目用及び左目用画像を合成する。そして、前記右目用及び左目用画像を、右目用発光波長だけを通過するフィルタを右目レンズ近傍に、左目用発光波長だけを通過するフィルタを左目レンズ近傍に、それぞれ有する波長選択眼鏡で見ることにより、小型の装置であっても、明るく色再現性の高い、高品質な立体画像を観賞できる立体表示システムが提供できることを知見した。
【００１１】
本発明は、本発明者による前記知見に基づくものであり、前記課題を解決するための手段としては以下の通りである。即ち、
＜１＞  ピーク波長がＲ１、Ｇ１、及びＢ１である３色の光源を１組とした第１の光源と、
ピーク波長がＲ２、Ｇ２、及びＢ２である３色の光源を１組とした第２の光源と、
ピーク波長がＲｆ、Ｇｆ、及びＢｆであり、かつピーク透過率の５０％が透過する半値幅がＲｆｗ、Ｇｆｗ、及びＢｆｗである３色の画素を含むカラーフィルタと、液晶層とを有し、前記第１及び第２の光源を交互に発光させた光を変調して左目用画像及び右目用画像を形成する光変調素子と、を有する画像表示装置と、
左目レンズ及び右目レンズの近傍に特定の発光波長の光だけを透過するフィルタを有し、前記左目用画像を左目のみに知覚させ、前記右目用画像を右目のみに知覚させるように構成した波長選択眼鏡と、を組み合わせてなり、
前記波長選択眼鏡を通して前記左目用及び前記右目用画像を観ることにより１つの立体画像を見ることができる立体表示システムであって、
前記第１の光源及び前記第２の光源が、１０ｎｍ≦｜Ｒ１−Ｒ２｜、１０ｎｍ≦｜Ｇ１−Ｇ２｜、及び１０ｎｍ≦｜Ｂ１−Ｂ２｜の関係を満たし、
前記カラーフィルタと前記第１及び第２の光源とが、Ｒｆ−Ｒｆｗ＜Ｒ１＜Ｒｆ＋Ｒｆｗ、Ｇｆ−Ｇｆｗ＜Ｇ１＜Ｇｆ＋Ｇｆｗ、Ｂｆ−Ｂｆｗ＜Ｂ１＜Ｂｆ＋Ｂｆｗ、Ｒｆ−Ｒｆｗ＜Ｒ２＜Ｒｆ＋Ｒｆｗ、Ｇｆ−Ｇｆｗ＜Ｇ２＜Ｇｆ＋Ｇｆｗ、及びＢｆ−Ｂｆｗ＜Ｂ２＜Ｂｆ＋Ｂｆｗの関係を満たし、
前記左目レンズ近傍のフィルタが、（ピーク波長がＲ１の光源からの光の透過率ＴＲ１）＞（ピーク波長がＲ２の光源からの光の透過率ＴＲ２）、（ピーク波長がＧ１の光源からの光の透過率ＴＧ１）＞（ピーク波長がＧ２の光源からの光の透過率ＴＧ２）、及び（ピーク波長がＢ１の光源からの光の透過率ＴＢ１）＞（ピーク波長がＢ２の光源からの光の透過率ＴＢ２）の関係を満たし、
前記右目レンズ近傍のフィルタが、ＴＲ１＜ＴＲ２、ＴＧ１＜ＴＧ２、及びＴＢ１＜ＴＢ２の関係を満たすことを特徴とする立体表示システムである。
該＜１＞に記載の立体表示システムにおいては、前記第１の光源と前記第２の光源を交互に発光させ、そのタイミングに応じて、カラーフィルタ及び液晶層を有する光変調素子で変調させて右目用及び左目用画像を合成する。そして、前記右目用及び左目用画像を、右目用発光波長だけを通過するフィルタを右目レンズ近傍に、左目用発光波長だけを通過するフィルタを左目レンズ近傍に、それぞれ有する波長選択眼鏡で見ることにより、小型の装置であっても、明るく色再現性の高い、高品質な立体画像を観賞することができる。
＜２＞  ピーク波長がＲ１、Ｇ１、Ｂ１、Ｒ２、Ｇ２、及びＢ２の６つの光源における光源半値幅は、いずれも１ｎｍ以上５０ｎｍ以下である前記＜１＞に記載の立体表示システムである。
該＜２＞に記載の立体表示システムにおいては、ピーク波長がＲ１、Ｇ１、Ｂ１、Ｒ２、Ｇ２、及びＢ２の６つの光源における光源半値幅は、いずれも１ｎｍ以上５０ｎｍ以下である。このようにシャープな波長の光源であると、クロストークの発生が防止でき、高画質の立体画像を観賞できる。
＜３＞  ピーク波長Ｒ２とＧ１の光源が、Ｒ２＞Ｇ１であり、Ｒ２−Ｇ１＞１０ｎｍを満たし、
ピーク波長Ｇ２とＢ１の光源が、Ｇ２＞Ｂ１であり、Ｇ２−Ｂ１＞１０ｎｍを満たす前記＜１＞から＜２＞のいずれかに記載の立体表示システムである。
該＜３＞に記載の立体表示システムにおいては、ピーク波長Ｒ２とＧ１の光源、及びピーク波長Ｇ２とＢ１の光源の光源波長差が一定以上であることにより、高画質の立体画像を観賞することができる。
＜４＞  左目レンズ近傍のフィルタが、ＴＲ１≧５０％、ＴＲ２≦１０％、ＴＧ１≧５０％、ＴＧ２≦１０％、ＴＢ１≧５０％、ＴＢ２≦１０％であり、
右目レンズ近傍のフィルタが、ＴＲ１≦１０％、ＴＲ２≧５０％、ＴＧ１≦１０％、ＴＧ２≧５０％、ＴＢ１≦１０％、ＴＢ２≧５０％である前記＜１＞から＜３＞のいずれかに記載の立体表示システムである。
該＜４＞に記載の立体表示システムにおいては、左目レンズ近傍のフィルタが、ＴＲ１≧５０％、ＴＲ２≦１０％、ＴＧ１≧５０％、ＴＧ２≦１０％、ＴＢ１≧５０％、ＴＢ２≦１０％であり、
右目レンズ近傍のフィルタが、ＴＲ１≦１０％、ＴＲ２≧５０％、ＴＧ１≦１０％、ＴＧ２≧５０％、ＴＢ１≦１０％、ＴＢ２≧５０％である。これにより、前記右目レンズが、ピーク波長がＢ１、Ｇ１、及びＲ１の１組の光源からの光を透過し、かつピーク波長がＢ２、Ｇ２、及びＲ２の１組の光源からの光を透過しないように構成される。また、前記左目レンズが、ピーク波長がＢ２、Ｇ２、及びＲ２の１組の光源からの光を透過し、ピーク波長がＢ１、Ｇ１、及びＲ１の１組の光源からの光を透過しないように構成される。
【発明の効果】
【００１２】
本発明によると、従来における問題を解決することができ、波長をずらした２組のＲＧＢ光源及び光変調素子を有する画像表示装置と、波長選択眼鏡とを組み合わせた小型の装置により、明るく色再現性の高い、高品質の立体画像を見ることができる立体表示システムを提供することを目的とする。
【図面の簡単な説明】
【００１３】
【図１】図１は、本発明の立体表示システムの一例を示す概略図である。
【図２】図２は、本発明の立体表示システムの他の一例を示す概略図である。
【図３】図３は、従来のドルビー３Ｄ方式による立体表示システムの一例を示す概略図である。
【図４】図４は、実施例で用いたフィルタ２の波長と透過率の関係を示すグラフである。
【発明を実施するための形態】
【００１４】
本発明の立体表示システムは、画像表示装置と、波長選択眼鏡と、を組み合わせてなり、更に必要に応じてその他の構成を有してなる。
前記立体表示システムにおいては、前記波長選択眼鏡を通して、前記画像表示装置で作成された左目用及び前記右目用画像を見ることにより、１つの合成された明るく色再現性の高い、高品質の立体画像を観賞することができる。
【００１５】
＜画像表示装置＞
前記画像表示装置は、第１の光源と、第２の光源と、光変調素子とを有してなり、更に必要に応じてその他の手段を有してなる。
【００１６】
＜＜第１の光源及び第２の光源＞＞
前記第１の光源は、ピーク波長がＲ１、Ｇ１、及びＢ１である３色（３つ）の光源を１組とした光源である。
前記第２の光源は、ピーク波長がＲ２、Ｇ２、及びＢ２である３色（３つ）の光源を１組とした光源である。
前記第１及び第２の光源は、左目用及び前記右目用画像のいずれかの形成に用いられる。
【００１７】
前記ピーク波長がＲ１、Ｇ１、Ｂ１、Ｒ２、Ｇ２、及びＢ２の６つの光源としては、特に制限はなく、目的に応じて適宜選択することができるが、各色の発光ダイオード（ＬＥＤ）、各色のレーザダイオード（ＬＤ）、蛍光発光素子などが挙げられる。これらの中でも、発光効率の点でＬＥＤが特に好ましい。
【００１８】
青色（Ｂ）光源（Ｂ１、Ｂ２）における中心波長範囲は、４２０ｎｍ以上５００ｎｍ未満が好ましく、４３０ｎｍ以上４９０ｎｍ以下がより好ましい。
緑色（Ｇ）光源（Ｇ１、Ｇ２）における中心波長範囲は、５００ｎｍ以上５８０ｎｍ未満が好ましく、５１０ｎｍ以上５７０ｎｍ以下がより好ましい。
赤色（Ｒ）光源（Ｒ１、Ｒ２）における中心波長範囲は、５８０ｎｍ以上６８０ｎｍ以下が好ましく、５９０ｎｍ以上６７０ｎｍ以下がより好ましい。
前記光源の中心波長範囲は、例えば分光測定器（ＵＳＢ２０００、オーシャンオプティクス社製）などにより測定することができる。
【００１９】
前記ピーク波長がＲ１、Ｇ１、Ｂ１、Ｒ２、Ｇ２、及びＢ２の６つの光源は、１０ｎｍ≦｜Ｒ１−Ｒ２｜、１０ｎｍ≦｜Ｇ１−Ｇ２｜、及び１０ｎｍ≦｜Ｂ１−Ｂ２｜の関係を満たすことが、左右の眼に入る画像光のクロストーク低減の点で必要である。
前記｜Ｂ１−Ｂ２｜、即ち、Ｂ１とＢ２の差の絶対値は、上限値で７０ｎｍ以下が好ましく、６０ｎｍ以下がより好ましく、５０ｎｍ以下が更に好ましい。また、下限値は１０ｎｍ以上であり、２０ｎｍ以上が好ましく、３０ｎｍ以上がより好ましい。
前記｜Ｂ１−Ｂ２｜が、１０ｎｍ未満であると、左右の眼に入る画像光のクロストークが生ずることがあり、７０ｎｍを超えると、長波側では緑光との混色、短波側では視感度の低下が生ずることがある。
【００２０】
前記｜Ｇ１−Ｇ２｜、即ち、Ｇ１とＧ２の差の絶対値は、上限値で７５ｎｍ以下が好ましく、６５ｎｍ以下がより好ましく、５５ｎｍ以下が更に好ましい。また、下限値は１０ｎｍ以上であり、２０ｎｍ以上が好ましく、３０ｎｍ以上がより好ましい。
前記｜Ｇ１−Ｇ２｜が、１０ｎｍ未満であると、左右の眼に入る画像光のクロストークが生ずることがあり、７５ｎｍを超えると、青色や赤色との混色が生ずることがある。
【００２１】
前記｜Ｒ１−Ｒ２｜、即ち、Ｒ１とＲ２の差の絶対値は、上限値で８０ｎｍ以下が好ましく、７０ｎｍ以下がより好ましく、６０ｎｍ以下が更に好ましい。また、下限値は１０ｎｍ以上であり、２０ｎｍ以上が好ましく、３０ｎｍ以上がより好ましい。
前記｜Ｒ１−Ｒ２｜が、１０ｎｍ未満であると、左右の眼に入る画像光のクロストークが生ずることがあり、８０ｎｍを超えると、短波側では緑光との混色、長波側では視感度の低下となることがある。
【００２２】
前記ピーク波長がＲ１、Ｇ１、Ｂ１、Ｒ２、Ｇ２、及びＢ２の６つの光源における光源半値幅は、いずれも上限値で５０ｎｍ以下が好ましく、４０ｎｍ以下がより好ましく、３０ｎｍ以下が更に好ましい。また、下限値は１ｎｍ以上が好ましく、５ｎｍ以上がより好ましく、１０ｎｍ以上が更に好ましい。
ここで、前記光源半値幅とは、ピーク波長における光量の半分光量になる波長で、長波側から短波側の差を意味し、例えば分光測定器（ＵＳＢ２０００、オーシャンオプティクス社製）などにより測定することができる。
前記光源半値幅が、５０ｎｍを超えると、右目用に発光したものが、左目レンズ近傍のフィルタにも少量光が透過してクロストークとなり、画像が２重に見えてしまうことがある。一方、前記光源半値幅が、１ｎｍ未満であると、斜めから見たときに、急激に暗くなってしまうことがある。
【００２３】
前記ピーク波長がＲ２とＧ１の光源は、Ｒ２＞Ｇ１であり、Ｒ２−Ｇ１＞１０ｎｍを満たすことが、クロストーク低減の点で好ましい。
前記ピーク波長がＧ２とＢ１の光源は、Ｇ２＞Ｂ１であり、Ｇ２−Ｂ１＞１０ｎｍを満たすことが、クロストーク低減の点で好ましい。
【００２４】
前記赤色光源（Ｒ１、Ｒ２）と前記緑色光源（Ｇ１、Ｇ２）において、（Ｒ１＋Ｒ２）／２と（Ｇ１＋Ｇ２）／２との差は、５０ｎｍ以上であることが好ましく、５０ｎｍ〜１５０ｎｍであることがより好ましい。前記（Ｒ１＋Ｒ２）／２と（Ｇ１＋Ｇ２）／２との差が、５０ｎｍ未満であると、クロストークが発生することがある。
【００２５】
前記緑色光源（Ｇ１、Ｇ２）と前記青色光源（Ｂ１、Ｂ２）において、（Ｇ１＋Ｇ２）／２と（Ｂ１＋Ｂ２）／２との差は、５０ｎｍ以上であることが好ましく、５０ｎｍ〜１５０ｎｍであることがより好ましい。前記（Ｇ１＋Ｇ２）／２と前記（Ｂ１＋Ｂ２）／２との差が、５０ｎｍ未満であると、クロストークが発生することがある。
【００２６】
前記赤色光源（Ｒ１、Ｒ２）と前記青色光源（Ｂ１、Ｂ２）において、（Ｒ１＋Ｒ２）／２と（Ｂ１＋Ｂ２）／２との差は、１００ｎｍ以上であることが好ましく、１００ｎｍ〜３００ｎｍであることがより好ましい。前記（Ｒ１＋Ｒ２）／２と（Ｂ１＋Ｂ２）／２との差が、１００ｎｍ未満であると、波長範囲が狭く、色再現不足となることがある。
また、ｍａｘ（Ｂ１、Ｂ２）＜ｍｉｎ（Ｇ１、Ｇ２）、ｍａｘ（Ｇ１、Ｇ２）＜ｍｉｎ（Ｒ１、Ｒ２）の関係を満たすことが好ましい。この関係を満たさないと、色再現が悪くなることがある。
ここで、前記ｍａｘ（Ｐ，Ｑ）は、波長Ｐと波長Ｑのうちの、長波の波長を示す。前記ｍｉｎ（Ｐ，Ｑ）は、波長Ｐと波長Ｑのうちの、短波の波長を示す。
【００２７】
＜＜光変調素子＞＞
前記光変調素子は、カラーフィルタと、液晶層のような屈折率変調層とを有してなり、更に必要に応じてその他の部材を有してなる。
前記第１及び第２の光源を交互に発光させた光は、前記光変調素子によって、例えば位相、強度、偏光、方向、波長、色、色相、又は光に固有の任意の特性を変調され、左目用画像及び右目用画像が形成される。
【００２８】
−カラーフィルタ−
前記カラーフィルタは、ピーク波長がＲｆ、Ｇｆ、及びＢｆであり、かつピーク透過率の５０％が透過する半値幅がＲｆｗ、Ｇｆｗ、及びＢｆｗである３色の画素（Ｂ画素、Ｇ画素、及びＲ画素）を含み、更に必要に応じてその他の部材を含んでなる。
【００２９】
前記カラーフィルタの赤色（Ｒ）画素のピーク波長Ｒｆは、４２０ｎｍ〜５００ｎｍであることが好ましい。
前記カラーフィルタの緑色（Ｇ）画素のピーク波長Ｇｆは、５００ｎｍ〜５８０ｎｍであることが好ましい。
前記カラーフィルタの青色（Ｂ）画素のピーク波長Ｂｆは、５８０ｎｍ〜６８０ｎｍであることが好ましい。
前記カラーフィルタの各画素のピーク波長は、例えば分光測定器（ＵＳＢ２０００、オーシャンオプティクス社製）などにより測定することができる。
【００３０】
前記カラーフィルタの赤色（Ｒ）画素の半値幅Ｒｆｗは、１０ｎｍ〜１５０ｎｍであることが好ましい。
前記カラーフィルタの緑色（Ｇ）画素の半値幅Ｇｆｗは、１０ｎｍ〜１５０ｎｍであることが好ましい。
前記カラーフィルタの青色（Ｂ）画素の半値幅Ｂｆｗは、１０ｎｍ〜１５０ｎｍであることが好ましい。
前記カラーフィルタの各画素の半値幅は、例えばハロゲンランプのような光源からの光を、カラーフィルタを通し、その透過光量を分光器（ＵＳＢ２０００、オーシャンオプティクス社製）により測定することができる。
【００３１】
本発明においては、前記カラーフィルタと前記第１及び第２の光源とが、Ｒｆ−Ｒｆｗ＜Ｒ１＜Ｒｆ＋Ｒｆｗ、Ｇｆ−Ｇｆｗ＜Ｇ１＜Ｇｆ＋Ｇｆｗ、Ｂｆ−Ｂｆｗ＜Ｂ１＜Ｂｆ＋Ｂｆｗ、Ｒｆ−Ｒｆｗ＜Ｒ２＜Ｒｆ＋Ｒｆｗ、Ｇｆ−Ｇｆｗ＜Ｇ２＜Ｇｆ＋Ｇｆｗ、及びＢｆ−Ｂｆｗ＜Ｂ２＜Ｂｆ＋Ｂｆｗの関係を満たすことが好ましい。これにより、前記カラーフィルタの青色（Ｂ）画素は、ピーク波長がＢ１とＢ２の光源からの光を透過することができる。前記カラーフィルタの緑色（Ｇ）画素は、ピーク波長がＧ１とＧ２の光源からの光を透過することができる。前記カラーフィルタの赤色（Ｒ）画素は、ピーク波長がＲ１とＲ２の光源からの光を透過することができる。
【００３２】
前記カラーフィルタとしては、特に制限はなく、目的に応じて適宜選択することができ、市販品を用いることができ、該市販品としては、例えば富士フイルム株式会社製トランサー等の液晶ディスプレイ用カラーフィルタ、富士フイルム株式会社製カラーモザイクＲＧＢ３０００等のＣＣＤ用カラーフィルタなどを用いることができる。
【００３３】
−液晶層−
前記液晶層は、少なくとも液晶化合物を含有し、更に必要に応じてその他の成分を含有してなる。
【００３４】
前記液晶化合物としては、特に制限はなく、目的に応じて適宜選択することができ、例えばネマティック液晶、コレステリック液晶などが挙げられる。
【００３５】
−その他の部材−
前記光変調素子におけるその他の部材としては、特に制限はなく、目的に応じて適宜選択することができ、例えば１／４波長板、電極、ＴＦＴトランジスタなどが挙げられる。
【００３６】
＜波長選択眼鏡＞
前記波長選択眼鏡は、左目及び右目レンズと、該左目及び右目レンズの近傍に特定の発光波長の光だけを透過するフィルタとを有し、フレーム、更に必要に応じてその他の部材を有してなる。
前記波長選択眼鏡は、繰り返して使用可能なものが好ましく、一般の眼鏡と同じタイプの形状が好適であるが、ゴーグル形状、手持ち形状であっても構わない。
【００３７】
＜＜フィルタ＞＞
前記フィルタは、左目レンズ及び右目レンズの近傍であれば特に制限はなく、目的に応じて適宜選択することができるが、前記左目レンズ及び右目レンズ表面に直接配置してもよいし、中間層などを介して配置してもよい。
【００３８】
前記右目レンズの近傍には、ピーク波長がＢ１、Ｇ１、及びＲ１の１組の光源からの光を透過し、かつピーク波長がＢ２、Ｇ２、及びＲ２の１組の光源からの光を透過しないフィルタを設置する。
前記左目レンズの近傍には、ピーク波長がＢ２、Ｇ２、及びＲ２の１組の光源からの光を透過し、ピーク波長がＢ１、Ｇ１、及びＲ１の１組の光源からの光を透過しないフィルタを設置する。あるいは、上記と逆にフィルタを配置した（右目と左目のフィルタを入れ替えた）ものでも構わない。これにより、前記左目用画像を左目のみに知覚させ、前記右目用画像を右目のみに知覚させることができる。
【００３９】
前記左目レンズ近傍のフィルタは、（ピーク波長がＲ１の光源からの光の透過率ＴＲ１）＞（ピーク波長がＲ２の光源からの光の透過率ＴＲ２）、（ピーク波長がＧ１の光源からの光の透過率ＴＧ１）＞（ピーク波長がＧ２の光源からの光の透過率ＴＧ２）、及び（ピーク波長がＢ１の光源からの光の透過率ＴＢ１）＞（ピーク波長がＢ２の光源からの光の透過率ＴＢ２）の関係、即ち、ＴＲ１＞ＴＲ２、ＴＧ１＞ＴＧ２、及びＴＢ１＞ＴＢ２を満たすことが、クロストークを低減する点で好ましい。
【００４０】
前記右目レンズ近傍のフィルタは、（ピーク波長がＲ１の光源からの光の透過率ＴＲ１）＜（ピーク波長がＲ２の光源からの光の透過率ＴＲ２）、（ピーク波長がＧ１の光源からの光の透過率ＴＧ１）＜（ピーク波長がＧ２の光源からの光の透過率ＴＧ２）、及び（ピーク波長がＢ１の光源からの光の透過率ＴＢ１）＜（ピーク波長がＢ２の光源からの光の透過率ＴＢ２）の関係、即ち、ＴＲ１＜ＴＲ２、ＴＧ１＜ＴＧ２、及びＴＢ１＜ＴＢ２を満たすことが、クロストークを低減する点で好ましい。
【００４１】
前記左目レンズ近傍のフィルタの透過率は、ＴＲ１≧５０％、ＴＲ２≦１０％、ＴＧ１≧５０％、ＴＧ２≦１０％、ＴＢ１≧５０％、ＴＢ２≦１０％であることが好ましく、ＴＲ１≧８０％、ＴＲ２≦６％、ＴＧ１≧８０％、ＴＧ２≦６％、ＴＢ１≧８０％、ＴＢ２≦６％であることより好ましい。前記右目レンズ近傍のフィルタの透過率が、上記の範囲を満たすことにより、クロストークの低減を図ることができる。
【００４２】
前記右目レンズ近傍のフィルタの透過率は、ＴＲ１≦１０％、ＴＲ２≧５０％、ＴＧ１≦１０％、ＴＧ２≧５０％、ＴＢ１≦１０％、ＴＢ２≧５０％であることが好ましく、ＴＲ１≦６％、ＴＲ２≧８０％、ＴＧ１≦６％、ＴＧ２≧８０％、ＴＢ１≦６％、ＴＢ２≧８０％であることがより好ましい。前記右目レンズ近傍のフィルタの透過率が、上記の範囲を満たすことにより、クロストークの低減を図ることができる。
前記フィルタの透過率は、例えば分光測定器（ＵＳＢ２０００とハロゲン光源、いずれもオーシャンオプティクス社製）などを用いて測定することができる。
【００４３】
−フィルタの作製方法−
前記フィルタは、前記眼鏡基材上に、例えば「ＨＬＨＬ（２Ｈ）ＬＨＬＨ」のように高屈折率（Ｈ）の薄膜と低屈折率（Ｌ）の薄膜を積層することにより作製される。
【００４４】
前記眼鏡基材としては、その材質、形状、構造、大きさ等については特に制限はなく、目的に応じて適宜選択することができ、例えば、前記材質としては、無機物、有機物などが挙げられ、前記形状としては平板状などが挙げられ、前記構造としては単層構造であってもよいし、積層構造であってもよく、前記大きさとしては用途等に応じて適宜選択することができる。
前記無機物としては、ガラス、サファイア、シリコン（Ｓｉ）、石英（ＳｉＯ２）などが挙げられる。
前記有機物としては、例えばポリエチレンテレフタレート（ＰＥＴ）、ポリエチレンナフタレート（ＰＥＮ）、ポリカーボネート（ＰＣ）、低融点フッ素樹脂、ポリメタアクリル酸メチル（ＰＭＭＡ）、トリアセテートセルロース（ＴＡＣ）、などが挙げられる。
前記基板の厚みとしては、特に制限はなく、目的に応じて適宜選択することができ、１００μｍ以上が好ましく、５００μｍ以上がより好ましい。
【００４５】
前記Ｈは、屈折率の大きな材料であり、その膜厚はλ／(４ｎ)で表され、波長６００ｎｍで屈折率２．０の材料であれば、７５ｎｍの膜厚となる。
前記Ｌは、屈折率の小さな材料であり、その膜厚はλ／(４ｎ)で表され、波長６００ｎｍで屈折率１．５の材料であれば、１００ｎｍの膜厚となる。
なお、２Ｈは、Ｈの２倍の膜厚の薄膜である。
前記Ｈと前記Ｌとの屈折率差（Ｈ−Ｌ）は、０．１以上が好ましく、０．２以上がより好ましく、０．３以上が更に好ましい。
【００４６】
前記Ｈ及びＬの材料としては、例えば下記表Ａに示す材料などが挙げられ、これらの中から、屈折率の大きなものと小さなものを適宜選択することができる。
前記Ｈの材料としては、Ａｌ２Ｏ３、Ｔａ２Ｏ５、ＺｎＯ、ＣｅＯ２、ＴｉＯ２、ＣｅＦ３、ＺｎＳなどが好ましい。
前記Ｌの材料としては、ＳｉＯ２、Ａｌ２Ｏ３、ＬｉＦ、ＣａＦ２、ＭｇＦ２などが好ましい。
【００４７】
【表Ａ】
2012042613.tif 000003
【００４８】
前記Ｈ及びＬからなるフィルタの成膜方法としては、特に制限はなく、目的に応じて適宜選択することができ、例えば真空蒸着法、スパッタリング法、プラズマＣＶＤ法、ゾル−ゲル法などが挙げられる。これらの中でも、真空蒸着法、スパッタリング法が特に好ましい。
前記真空蒸着法としては、例えば反応性蒸着法、イオンビームアシスト蒸着、イオンプレーティング法、などが挙げられる。
前記スパッタリング法としては、例えば反応性スパッタリング法などが挙げられる。
【００４９】
前記画像表示装置は、ハードウェア、ソフトウェア、ファームウェア、又はこれらの組み合わせでありうる。１つの実施形態において、画像表示装置の１つ以上の構成要素は、コンピュータ、コンピュータサーバ、又は一連の論理演算を実行することができる他のマイクロプロセッサベースのシステムに含まれる。また、ハードディスクドライブ、他の永久記憶装置等の不揮発性メモリを含むか、又はランダムアクセスメモリ（ＲＡＭ）等の揮発性メモリを含みうる。
【００５０】
＜＜その他の手段＞＞
前記画像表示手段におけるその他の手段としては、特に制限はなく、目的に応じて適宜選択することができるが、例えば制御手段などが挙げられる。
前記制御手段としては、前記各手段の動きを制御することができる限り特に制限はなく、目的に応じて適宜選択することができ、例えば、シークエンサー、コンピュータ等の機器、などが挙げられる。
【００５１】
ここで、本発明の立体表示システムについて、図面を参照して説明する。
＜第１の実施形態＞
図１は、本発明の第１の実施形態に係る立体表示システム１００を示す概略図である。
この図１の立体表示システム１００は、ピーク波長をずらした２組のＲＧＢ光源Ｌ１（Ｂ１、Ｇ１、Ｒ１）、Ｌ２（Ｂ２、Ｇ２、Ｒ２）、即ち、Ｂ１、Ｇ１、Ｒ１、Ｂ２、Ｇ２、及びＲ２の６つの光源を用いている。これらの光源としては、各色のＬＥＤが用いられている。なお、前記第１の光源と前記第２の光源は逆に配置しても構わない。
前記Ｂ１、Ｇ１、Ｒ１、Ｂ２、Ｇ２、及びＲ２の６つの光源は、１０ｎｍ≦｜Ｒ１−Ｒ２｜、１０ｎｍ≦｜Ｇ１−Ｇ２｜、及び１０ｎｍ≦｜Ｂ１−Ｂ２｜の関係を満たしている。
前記Ｂ１、Ｇ１、Ｒ１、Ｂ２、Ｇ２、及びＲ２の６つの光源における光源半値幅は、いずれも１ｎｍ以上５０ｎｍ以下である。
前記ピーク波長がＲ２とＧ１の光源は、Ｒ２＞Ｇ１であり、Ｒ２−Ｇ１＞１０ｎｍを満たしている。
前記ピーク波長がＧ２とＢ１の光源は、Ｇ２＞Ｂ１であり、Ｇ２−Ｂ１＞１０ｎｍを満たしている。
【００５２】
次に、２組のＲＧＢ光源Ｌ１及びＬ２を交互に発光させ、そのタイミングに応じて、液晶層１０とカラーフィルタ１１を含む光変調素子１２で変調して、右目用画像及び左目用画像を形成する。
カラーフィルタ１１としては、富士フイルム株式会社製トランサーを用いている。
液晶層１０としては、ネマティック液晶を用いている。
カラーフィルタ１１は、各画素のピーク波長がＲｆ、Ｇｆ、及びＢｆであり、かつピーク透過率の５０％が透過する半値幅がＲｆｗ、Ｇｆｗ、及びＢｆｗである。
前記カラーフィルタ１１と前記第１及び第２の光源とは、Ｒｆ−Ｒｆｗ＜Ｒ１＜Ｒｆ＋Ｒｆｗ、Ｇｆ−Ｇｆｗ＜Ｇ１＜Ｇｆ＋Ｇｆｗ、Ｂｆ−Ｂｆｗ＜Ｂ１＜Ｂｆ＋Ｂｆｗ、Ｒｆ−Ｒｆｗ＜Ｒ２＜Ｒｆ＋Ｒｆｗ、Ｇｆ−Ｇｆｗ＜Ｇ２＜Ｇｆ＋Ｇｆｗ、及びＢｆ−Ｂｆｗ＜Ｂ２＜Ｂｆ＋Ｂｆｗの関係を満たしている。
【００５３】
次に、得られた右目用画像及び左目用画像を、右目用発光波長だけを通過するフィルタ２を右目レンズ近傍に、左目用発光波長だけを通過するフィルタ１を左目レンズ近傍に、それぞれ有する波長選択眼鏡２１で見る。
前記フィルタ１としては、富士フイルム株式会社製トランサーを用いている。
前記フィルタ２としては、富士フイルム株式会社製トランサーを用いている。
前記左目レンズ近傍のフィルタ１は、（ピーク波長がＲ１の光源からの光の透過率ＴＲ１）＞（ピーク波長がＲ２の光源からの光の透過率ＴＲ２）×（ピーク波長がＧ１の光源からの光の透過率ＴＧ１）＞（ピーク波長がＧ２の光源からの光の透過率ＴＧ２）×（ピーク波長がＢ１の光源からの光の透過率ＴＢ１）＞（ピーク波長がＢ２の光源からの光の透過率ＴＢ２）の関係を満たしている。
また、左目レンズ近傍のフィルタ１は、ＴＲ１≧８０％、ＴＲ２≦１％、ＴＧ１≧８０％、ＴＧ２≦１％、ＴＢ１≧８０％、ＴＢ２≦１％を満たしている。
【００５４】
前記右目レンズ近傍のフィルタ２は、ＴＲ１＜ＴＲ２、ＴＧ１＜ＴＧ２、及びＴＢ１＜ＴＢ２の関係を満たしている。
右目レンズ近傍のフィルタ２は、ＴＲ１≦１％、ＴＲ２≧８０％、ＴＧ１≦１％、ＴＧ２≧８０％、ＴＢ１≦１％、ＴＢ２≧８０％を満たしている。
【００５５】
この第１の実施形態の立体表示システム１００によれば、波長をずらした２組のＲＧＢ光源及び光変調素子を有する画像表示装置２０と、波長選択眼鏡２１とを組み合わせた小型の装置により、明るく色再現性の高い高品質な立体画像を観賞できる。また、この第１の実施形態では、従来のドルビー３Ｄ方式のようなプロジェクター、カラーホイール及びその駆動手段などが不要となるので、小型の装置とすることができる。
【００５６】
＜第２の実施形態＞
図２は、本発明の第２の実施形態に係る立体表示システム２００を示す概略図である。
この図２の立体表示システム２００は、図１において、第１の光源Ｌ１と第２の光源Ｌ２を入れ替え、波長選択眼鏡２１の右目近傍のフィルタ１と左目近傍のフィルタ２を入れ替えた以外は、第１の実施形態と同様にして組み立てた立体表示システムである。
この第２の実施形態の立体表示システムによれば、波長をずらした２組のＲＧＢ光源及び光変調素子を有する画像表示装置２０と、波長選択眼鏡２１とを組み合わせた小型の装置により、明るく色再現性の高い、高品質な立体画像を観賞できる。また、この第２の実施形態では、従来のドルビー３Ｄ方式のようなプロジェクター、カラーホイール及びその駆動手段などが不要となるので、小型の装置とすることができる。
【００５７】
以上、本発明の立体表示システムについて詳細に説明したが、本発明は上記実施形態に限定されず、本発明の要旨を逸脱しない範囲で種々変更しても差支えない。
【実施例】
【００５８】
以下、本発明の実施例を説明するが、本発明は、これらの実施例に何ら限定されるものではない。
【００５９】
（実施例１）
図１に示す構成の本発明の立体表示システム１００を組み立てた。その詳細は以下の通りである。
第１の光源Ｌ１としては、ピーク波長がＢ１＝４４０ｎｍ、Ｇ１＝５３０ｎｍ、Ｒ１＝６００ｎｍの３色からなる１組のＬＥＤ光源を用いた。
第２の光源Ｌ２としては、ピーク波長がＢ２＝４８０ｎｍ、Ｇ２＝５７０ｎｍ、Ｒ２＝６６０ｎｍの３色からなる１組のＬＥＤ光源を用いた。
第１の光源Ｌ１及び第２の光源Ｌ２において、｜Ｒ１−Ｒ２｜は６０ｎｍ、｜Ｇ１−Ｇ２｜は４０ｎｍ、｜Ｂ１−Ｂ２｜は４０ｎｍであり、１０ｎｍ≦｜Ｒ１−Ｒ２｜、１０ｎｍ≦｜Ｇ１−Ｇ２｜、及び１０ｎｍ≦｜Ｂ１−Ｂ２｜の関係を満たしている。
また、ピーク波長がＢ１、Ｇ１、Ｒ１、Ｂ２、Ｇ２、及びＲ２の６つの光源における光源半値幅は、いずれも２０ｎｍであり、１ｎｍ以上５０ｎｍ以下を満たしている。
ピーク波長がＲ２とＧ１の光源は、Ｒ２＞Ｇ１であり、Ｒ２−Ｇ１は１３０ｎｍである。
ピーク波長がＧ２とＢ１の光源は、Ｇ２＞Ｂ１であり、Ｇ２−Ｂ１は１３０ｎｍである。
ここで、光源のピーク波長及び光源半値幅は、分光測定器（ＵＳＢ２０００、オーシャンオプティクス社製）により測定した。
【００６０】
光変調素子１２としては、カラーフィルタ１１と、液晶層１０とを有する液晶光変調素子を用いた。
カラーフィルタ１１としては、富士フイルム株式会社製トランサーを用いた。
カラーフィルタ１１の各画素のピーク波長がＲｆ＝４５０ｎｍ、Ｇｆ＝５３０ｎｍ、及びＢｆ＝６４０ｎｍであり、かつカラーフィルタの各画素のピーク透過率の５０％が透過する半値幅がＲｆｗ＝１２０ｎｍ、Ｇｆｗ＝１２０ｎｍ、及びＢｆｗ＝短波側半値幅：５０ｎｍであり、カラーフィルタ１１と第１の光源Ｌ１及び第２の光源Ｌ２とは、Ｒｆ−Ｒｆｗ＜Ｒ１＜Ｒｆ＋Ｒｆｗ、Ｇｆ−Ｇｆｗ＜Ｇ１＜Ｇｆ＋Ｇｆｗ、Ｂｆ−Ｂｆｗ＜Ｂ１＜Ｂｆ＋Ｂｆｗ、Ｒｆ−Ｒｆｗ＜Ｒ２＜Ｒｆ＋Ｒｆｗ、Ｇｆ−Ｇｆｗ＜Ｇ２＜Ｇｆ＋Ｇｆｗ、及びＢｆ−Ｂｆｗ＜Ｂ２＜Ｂｆ＋Ｂｆｗの関係を満たしている。
カラーフィルタ１１のピーク波長及び半値幅は、分光測定器（ＵＳＢ２０００とハロゲン光源、いずれもオーシャンオプティクス社製）を用いて測定した。
ここで、赤色フィルタはバンドパスフィルタではなくロングパスフィルタを用いた。
短波側半値幅とは、ピーク波長に対して半値になる波長までの、波長幅を意味する。
液晶層１０としては、ネマティック液晶を用いた。
【００６１】
波長選択眼鏡２１としては、右目用発光波長だけを通過するフィルタ２を右目レンズ近傍に、左目用発光波長だけを通過するフィルタ１を左目レンズ近傍に、それぞれ有するものを用いた。
フィルタは、ガラス基板上にＴｉＯ２とＳｉＯ２を真空蒸着することにより作製した。
フィルタ１としては、下記表１に示すように、ガラス上にＴｉＯ２とＳｉＯ２を交互に９組を積層したものを用いた。各膜の膜厚は、下記表１に示す通りである。
【００６２】
【表１】
2012042613.tif 000004
【００６３】
フィルタ２としては、下記表２に示すように、ガラス上にＴｉＯ２とＳｉＯ２を交互に１１組を積層したものを用いた。各膜の膜厚は、下記表２に示す通りである。また、フィルタ２の波長と透過率の関係を図４に示す。
【００６４】
【表２】
2012042613.tif 000005
【００６５】
波長選択眼鏡２１の左目レンズ近傍のフィルタ１は、ピーク波長がＲ１の光源からの光の透過率ＴＲ１＝８５％、ピーク波長がＲ２の光源からの光の透過率ＴＲ２＝５％、ピーク波長がＧ１の光源からの光の透過率ＴＧ１＝８５％、ピーク波長がＧ２の光源からの光の透過率ＴＧ２＝５％、ピーク波長がＢ１の光源からの光の透過率ＴＢ１＝８５％、ピーク波長がＢ２の光源からの光の透過率ＴＢ２＝５％であり、ＴＲ１＞ＴＲ２、ＴＧ１＞ＴＧ２、及びＴＢ１＞ＴＢ２を満たしていた。
波長選択眼鏡２１の右目レンズ近傍のフィルタ１は、ピーク波長がＲ１の光源からの光の透過率ＴＲ１＝８０％、ピーク波長がＲ２の光源からの光の透過率ＴＲ２＝５％、ピーク波長がＧ１の光源からの光の透過率ＴＧ１＝８０％、ピーク波長がＧ２の光源からの光の透過率ＴＧ２＝５％、ピーク波長がＢ１の光源からの光の透過率ＴＢ１＝８０％、ピーク波長がＢ２の光源からの光の透過率ＴＢ２＝５％であり、ＴＲ１＜ＴＲ２、ＴＧ１＜ＴＧ２、及びＴＢ１＜ＴＢ２を満たしている。
波長選択眼鏡２１のフィルタの透過率は、分光測定器（ＵＳＢ２０００とハロゲン光源、いずれもオーシャンオプティクス社製）を用いて測定した。
【００６６】
（実施例２）
図２に示す構成の本発明の立体表示システム２００を組み立てた。即ち、実施例１において、第１の光源Ｌ１と第２の光源Ｌ２を入れ替え、波長選択眼鏡２１の右目近傍のフィルタ１と左目近傍のフィルタ２を入れ替えた以外は、実施例１と同様にして、実施例２の立体表示システム２００を組み立てた。
【００６７】
（比較例１）
比較例１として、図３に示す直線偏光方式の立体表示システム（ドルビー３Ｄ方式）を用いた。
図３は、Ｒ用画像ソース３０及びＬ用画像ソース３１を交互に分割表示し、右目用及び左目用画像をカラーホイール（分光フィルター；図示せず）でＲＧＢの波長帯域を切り替えながら、時間的に交互にホワイトスクリーン３３に投影し、左目及び右目レンズの近傍に特定の発光波長だけを透過するフィルタを有し、前記左目用画像を左目のみに知覚させ、前記右目用画像を右目のみに知覚させるように構成した直線偏光眼鏡３２で見ることにより、立体画像を観賞できるシステムである。
【００６８】
次に、実施例１〜２及び比較例１の立体表示システムについて、以下のようにして、諸特性を評価した。結果を表１に示す。
【００６９】
＜クロストークの評価＞
クロストークは、ピーク波長がＢ１の光源を発光させ、右目用フィルタと左目用フィルタを透過した時のそれぞれの光量を分光測定器（ＵＳＢ２０００とハロゲン光源、いずれもオーシャンオプティクス社製）で測定し、右目用フィルタと左目用フィルタとの光量比を求め、下記基準で評価した。
〔評価基準〕
○：光量比が１０／１以上（良好）
△：光量比が５／１以上、１０／１未満（普通）
×：光量比が５／１未満（不良）
【００７０】
＜ゴーストの評価方法＞
片目だけを開け、画像を観察することにより、ゴースト（右目を開けて見たときに見える左目用の画像）の有無を目視で評価し、下記基準で評価した。
〔評価基準〕
◎：ゴーストが見えない
○：ゴーストがわずかに見える
△：ゴーストが見えるが気にならず、支障がないレベル
×：ゴーストが見えて気になり、文字が読めない等の支障が出るレベル
【００７１】
＜色再現性＞
色再現性の評価について、光源波長の範囲で定義し、以下の基準で評価した。
〔評価基準〕
○：ピーク波長の最大と最小の差が２００ｎｍ以上(良好)
△：ピーク波長の最大と最小の差が１５０ｎｍ以上、２００ｎｍ未満（普通）
×：ピーク波長の最大と最小の差が１５０ｎｍ未満（不良）
【００７２】
＜斜め視認性＞
波長選択眼鏡又は直線偏光眼鏡で斜め（±１０°）方向から立体画像を見たときの斜め視認性の程度をゴーストの度合いで、下記基準で評価した。
〔評価基準〕
◎：ゴーストが見えない
○：ゴーストがわずかに見える
△：ゴーストが見えるが気にならず、支障がないレベル
×：ゴーストが見えて気になり、文字が読めない等の支障が出るレベル
【００７３】
【表１】
2012042613.tif 000006
表１の結果から、第１の光源と第２の光源を入れ替え、右目と左目のフィルタを入れ替えても同レベルの結果が得られることが分かった。
【産業上の利用可能性】
【００７４】
本発明の立体表示システムは、波長をずらした２組のＲＧＢ光源及び光変調素子を有する画像表示装置と、波長選択眼鏡とを組み合わせた小型の装置により、明るく色再現性の高い、高品質な立体画像を観賞することができるので、例えば３Ｄ映画、３Ｄプロジェクター、３Ｄテレビ、３Ｄビデオゲーム等の各種立体表示システムに幅広く適用することができる。
【符号の説明】
【００７５】
１０      液晶層
１１      カラーフィルタ
１２      光変調素子
２０      画像表示装置
２１      波長選択眼鏡
３０      Ｒ用映像ソース
３１      Ｌ用映像ソース
３２      直線偏光眼鏡
３３      ホワイトスクリーン
１００      立体表示システム
２００      立体表示システム
３００      立体表示システム
Ｌ１      第１の光源
Ｌ２      第２の光源
【図３】
2012042613.tif 000007
【図４】
2012042613.tif 000008
【図１】
2012042613.tif 000009
【図２】
2012042613.tif 000010